(57)【要約】【課題】電子機器を構成する部品間を接合する両面テープを剥がす際に、両面テープの接着剤を残さず容易に部品に分解でき、部品の再利用を可能とする電子機器を提供する。【解決手段】電子部品１４１を収容する第１部材１１に、第１部材１１と電子部品１４１を覆う第２部材１５が、枠状の両面テープ２０によって取り付けられる。両面テープ２０は、枠状の外側にタブ２１が設けられているので、タブ２１を引っ張ることにより、両面テープ２０を引き剥がすことができる。このとき、タブ２１の近傍に設けられた切れ込み２４から枠状の両面テープ２０が切断されて１本になるので、容易に両面テープ２０を剥がすことができ、第２部材１５を容易に第１部材１１から取り外すことができる。【選択図】図３
2011244024.tif 000002
【特許請求の範囲】
【請求項１】
第１部材と、
前記第１部材内に設けられた電子部品と、
前記電子部品を覆う第２部材と、
前記第１部材と前記第２部材とを固定する枠状の両面テープと、を備えた電子機器であって、
前記両面テープは、枠状の外側に設けられたタブと、前記タブの近傍に設けられた切れ込みと、を有する電子機器。
【請求項２】
請求項１に記載の電子機器であって、
前記タブに穴が設けられている電子機器。
【請求項３】
請求項１または請求項２に記載の電子機器であって、
前記切れ込みが前記両面テープの外側に設けられている電子機器。
【請求項４】
請求項１ないし請求項３のうちのいずれか一項に記載の電子機器であって、
前記タブが矩形状である電子機器。
【請求項５】
請求項１ないし請求項４のうちのいずれか一項に記載の電子機器であって、
前記切れ込みが前記両面テープの外側に向かって拡開する電子機器。
【発明の詳細な説明】
【技術分野】
【０００１】
本発明は、電子部品が両面テープを用いて電子機器本体に取り付けられた電子機器に関するものである。
【背景技術】
【０００２】
従来より、電子部品が両面テープを用いて電子機器本体に取り付けられた電子機器が知られている（例えば特許文献１参照）。
図６には、電子機器としての携帯電話１００の上筐体１０１が示されている。図６（Ａ）に示すように、上筐体１０１の内部には、表示部１０２の上の左側中央付近に２台のカメラ１０３，１０４が設けられ、右側に音響部品１０５が装備されている。
図６（Ｂ）には、上筐体１０１にスクリーン１０６（図６（Ｃ）参照）を取り付けるための両面テープ１０７が示されている。両面テープ１０７には、表示部１０２の表示用窓１０８、カメラ１０３用のカメラ用窓１０９、音響部品１０５用の音導用窓１１１が切り抜いて形成されている。
【０００３】
次に、図６（Ｃ）に示すように、上筐体１０１の外側の表示部１０２の位置に両面テープ１０７の表示用窓１０８を合わせて両面テープ１０７を貼り付け、さらに、両面テープ１０７の上に透明なスクリーン１０６が貼り付けられる。これにより、表示部１０２はスクリーン１０６によって保護される。
【先行技術文献】
【特許文献】
【０００４】
【特許文献１】特開２００５−２２９３１８号公報（第１図）
【発明の概要】
【発明が解決しようとする課題】
【０００５】
前述したような従来の携帯電話１００においては、両面テープ１０７の高接着強度により高い接合信頼性を有しているが、その高い接着強度のために両面テープを剥がすのが困難であり、接合部の分離・解体を困難にしていた。また、スクリーン１０６を上筐体１０１から分離する際に、両面テープの粘着剤や基材が層間で割裂した残さがスクリーン１０６や上筐体１０１に残るため、これらの部品を再利用できないという問題があった。
【０００６】
本発明は、従来の問題を解決するためになされたもので、電子機器を構成する部品間を接合する両面テープを剥がす際に、粘着や基材が層間で破壊（分離）することなく被着体の界面において剥離され、かつ両面テープが切れたり被着体に糊残りが発生したりすることなく円滑に剥離させることで、容易に部品に展開でき、部品の再利用を可能とする電子機器を提供することを目的とする。
【課題を解決するための手段】
【０００７】
本発明の電子機器は、第１部材と、前記第１部材内に設けられた電子部品と、前記電子部品を覆う第２部材と、前記第１部材と前記第２部材とを固定する枠状の両面テープと、を備えた電子機器であって、前記両面テープは、枠状の外側に設けられたタブと、前記タブの近傍に設けられた切れ込みと、を有するものである。
【０００８】
また、本発明の電子機器は、前記タブに穴が設けられているものである。
【０００９】
また、本発明の電子機器は、前記切れ込みが前記両面テープの外側に設けられているものである。
【００１０】
さらに、本発明の電子機器は、前記タブが矩形状であるものである。
【００１１】
また、本発明の電子機器は、前記切れ込みが前記両面テープの外側に向かって拡開する。
【発明の効果】
【００１２】
本発明は、タブを引っ張ることにより、タブの近傍に設けられた切れ込みから枠状の両面テープが切断されて１本になり、かつ両面テープは粘着や基材の層間で破壊（分離）せず被着体の界面において剥離されるので、接着剤を残さず容易に第１部材と第２部材とを分解して再利用を図れるという効果を有する電子機器を提供できる。
【図面の簡単な説明】
【００１３】
【図１】本発明に係る実施形態の電子機器の全体を示す斜視図
【図２】両面テープの断面
【図３】（Ａ）は両面テープの全体を示す斜視図、（Ｂ）は（Ａ）中Ｂ部の拡大図、（Ｃ）は両面テープの変形例を示す要部拡大図
【図４】両面テープを剥がす動作を示す斜視図
【図５】（Ａ）は両面テープでスクリーンを上筐体に取り付けた状態の断面図、（Ｂ）は両面テープを引き出すときの状態を示す断面図
【図６】従来の携帯電話であり、（Ａ）は上筐体の平面図，（Ｂ）は両面テープの平面図、（Ｃ）はスクリーンを取り付けた上筐体の平面図
【発明を実施するための形態】
【００１４】
以下、本発明の実施形態の電子機器について、図面を用いて説明する。
図１に示すように、本発明に係る実施形態の電子機器としての携帯端末１０は、例えば表示部１４を有する上筐体１１と、操作部１６を有する下筐体１２と、上筐体１１および下筐体１２を開閉可能に連結する連結部１３とを有する。
第１部材である上筐体１１は、上面（図１において上面）が大きく開口した矩形箱状の部材であり、上筐体１１の四辺には枠部１１１を有する。また、枠部１１１の上端部には、レシーバ１７およびカメラ１８を有する。上筐体１１の内部には、表示部１４を構成する電子部品である液晶表示板１４１が収容されており、液晶表示板１４１の表面を覆う第２部材であるスクリーン１５が設けられている。スクリーン１５は、上筐体１１の枠部１１１の全周に沿って貼り付けられている両面テープ２０により、取り付けられる。
【００１５】
図２は本発明にて使用する両面テープ２０の形態を示した断面図である。図示の両面テープ２０は延伸可能な基材２２を有し、基材２０の両面には粘着剤層２３が形成されている。ここで使用する基材２２は、好ましくは高伸張性ポリマーフィルムからなる。
ここで高伸張性とは、両面テープ２０の基材２２を長手方向に延伸させたときに、もとの長さを基準にして３５０％以上の伸びを生じるような性質を示す。
本実施形態において基材２２として用いられるポリマーフィルムは、３５０〜７００％の伸びを生じさせることができる。さらに、このポリマーフィルムは、４０ＭＰａ以上の引張強度、延伸された後で約５０％未満の弾性回復を有し、ガラス転移点が−２０℃以下であることが望ましい。
【００１６】
粘着剤層２３を構成する粘着剤としては、（メタ）アクリル酸エステルモノマーの単独重合体や、（メタ）アクリル酸エステルモノマーと、これと共重合可能な他のモノマーとの共重合体からなるアクリル系ポリマーをベースポリマーとし、これに架橋剤や粘着付与樹脂等の添加剤が配合されたアクリル系粘着剤が挙げられる。
アクリル重合体としてはガラス転移点を−２０℃以下とするため、（メタ）アクリル酸と、アルキル基の炭素数が４〜１２である（メタ）アクリル酸エステルとを含有し、これらを総量として５０〜１００重量％含有するモノマーの共重合体が好ましい。
【００１７】
基材２２の表面には粘着剤層２３となる粘着剤との接着効果を高めるため、プラズマ処理を予め施すことが好ましい（図２中、Ｘ印参照）。
プラズマ処理としては、例えばコロナ放電処理、プラズマ放電処理、火炎処理、電子ビーム照射、紫外線照射等を挙げることが出来る。
【００１８】
図３（Ａ）に示すように、両面テープ２０は、全体矩形枠状をしており、その一辺である上辺２０１の端部（ここでは、右側端部）付近にタブ２１が外側（上方）に突出して設けられている。両面テープ２０の上辺２０１を含む枠状部分２０２は、図５（Ａ）に示すように、積層構造をしており、中央に基材２２を有し、基材２２の上下両面には粘着剤層２３となる粘着剤が塗布されている。なお、タブ２１は、その両面に粘着剤が塗布されていても良いが、基材２２のみで構成されていることが好ましい。
【００１９】
本実施形態において、携帯端末１０の上筐体１１は、連結部１３とは反対側のスクリーン１５に隣り合う位置にレシーバ１７およびカメラ１８を覆うレシーバパネル１９が貼り付けられている。両面テープ２０のタブ２１は、スクリーン１５の下から外部に突出するとともに、レシーバパネル１９の下側に隠されている。
このため、両面テープ２０は、タブ２１が設けられていても、タブ２１がレシーバパネル１９に隠され、携帯端末１０の外観性を損なうことなく、液晶表示板１４１とスクリーン１５とを接合できる。
【００２０】
図３（Ｂ）に示すように、タブ２１は矩形状をしており、少なくとも上辺２０１よりも外側である中央部には、穴２１１が設けられている。また、タブ２１において枠状部分２０２の端部側（図３（Ｂ）において右側）の外形線である縦辺２１２を上辺２０１に延長した位置には、切れ込み２４が形成されている。切れ込み２４は、両面テープ２０の表から裏まで貫通して切断されており、上辺２０１におけるタブ２１側の端部すなわち枠状部分２０２の外側縁部から、枠状部分２０２の幅の途中（例えば、枠状部分２０２の幅の中央付近）まで設けられている。通常は、両面テープ２０は矩形枠状の形状を保持しているので、枠状部分２０２の内部の密閉を保持しているが、切れ込み２４を開く方向（図３（Ｂ）中矢印Ａ方向）に外力が作用すると、切れ込み２４が開いて、枠状部分２０２の内側まで容易に切断されるようになっている。
【００２１】
なお、図３（Ｃ）に示す両面テープ２０Ａは、切れ込み２４が外側に向かって拡開する形状となっているため、さらに容易に枠状部分２０２を分断できる。
【００２２】
次に、スクリーン１５を上筐体１１から取り外す動作について説明する。
図１に示すように、スクリーン１５は矩形枠状の両面テープ２０により上筐体１１の枠部１１１に取り付けられている。この状態では、両面テープ２０の枠状部分は閉じた矩形状となっているので、上筐体１１内部の防水性能および防塵性能を確保して接合信頼性を保持している。
【００２３】
この状態からスクリーン１５を分離するには、図４に示すように、両面テープ２０のタブ２１を上筐体１１の表面から起こし、タブ２１の穴２１１に細い棒状の工具を挿入して引掛け、工具を介してタブ２１を外向き（図４中矢印Ａ方向）に強く引く。これにより、タブ２１の近傍に設けられている切れ込み２４から破断が始まり、両面テープ２０は切断される。さらに、タブ２１を両面テープ２０の方向に沿って引き出す（図４中矢印Ｂ方向）と、両面テープ２０は１本の紐状になって、スクリーン１５と上筐体１１との間から引き出される。
【００２４】
このとき、タブ２１は基材２２に設けられており、タブ２１を引き出すことにより基材２２を引き出すことになる。基材は高伸張性ポリマーフィルムよりなるため、図５（Ａ）に示すように、基材２２を強く引き出すと、図５（Ｂ）に示すように、基材２２が厚み方向に収縮するとともに、長手方向へ伸びる。この厚み方向の弾性変形により基材２２が薄くなり、面で接着していた粘着剤が、接触面積の少ない線接着となるため、粘着剤層２３とスクリーン１５および上筐体１１との界面（接着面）から剥離が進行する。そして、両面テープ２０を取り出すことにより、スクリーン１５を上筐体１１から分離する。
【００２５】
本実施形態に用いられる基材２２のポリマーフィルムは３５０〜７００％の伸びを生じさせることができる。基材２２の伸び率が３５０％を下回ると厚み方向に収縮できず剥離効果が得られなくなり、反対に７００％を上回ると程よいタイミングでスクリーン１５および上筐体１１から両面テープ２０を剥離することが困難になる。
【００２６】
また、この基材２２の厚みは１００〜２５０μｍが好ましい。基材２２の厚みが１００μｍを下回ると厚み方向の収縮量が不足し、線接触状態が形成されず粘着力の低下が不十分となるため、被着体の界面で剥離が進行する前に基材２２が破断する場合がある。反対に基材２２の厚みは２５０μｍを上回ると高い引張強度のために被着体から両面テープ２０を剥離する作業が実質的に困難になり、また両面テープ２０を薄手とする効果も損なわれる。
【００２７】
また、基材２２の表面にはプラズマ処理を予め施し粘着剤との接着力を高めているため、両面テープを強く引き出しても、粘着剤が基材に引っ張られ、被着体の界面に残らず剥離させることが出来る。
さらに、本実施形態の両面テープ２０は、基材２２、粘着剤層２３となる粘着剤共にガラス転移点の低い材料であるため、携帯端末１０が寒冷地で落下等の衝撃を受けても衝撃吸収力は損なわれず、信頼性の高い接合が可能となる。
【００２８】
以上、説明した本発明に係る実施形態の携帯端末１０によれば、液晶表示板１４１を収容する上筐体１１に、上筐体１１と液晶表示板１４１を覆うスクリーン１５が、枠状の両面テープ２０によって取り付けられる。両面テープ２０は、枠状の外側にタブ２１が設けられているので、タブ２１を引っ張ることにより、両面テープ２０を引き剥がすことができる。このとき、タブ２１の近傍に設けられた切れ込み２４から枠状の両面テープ２０が切断されて１本になるので、容易に両面テープ２０を剥がすことができ、スクリーン１５を容易に上筐体１１から取り外すことができる。
【００２９】
また、枠状の両面テープ２０の外側に設けられているタブ２１には穴２１１が開けられているので、穴２１１に工具等を引っ掛けて強く引き出すことができ、容易に両面テープ２０を引き出すことができる。
【００３０】
また、枠状の両面テープ２０の外側に切れ込み２４が設けられているので、タブ２１を引っ張ることにより、両面テープ２０は外側の切れ込み２４から内側に向けて切断されて１本の紐状になり、容易に両面テープ２０を引き出すことができる。
特に、図３（Ｃ）に示す両面テープ２０Ａによれば、切れ込み２４が外側に向かって拡開する形状となっているため、さらに容易に枠状部分２０２を分断できる。
【００３１】
また、矩形枠状の両面テープ２０の外側に設けられているタブ２１が矩形状なので、矩形の外形線の延長に切れ込み２４を設けることにより、切れ込み２４が効果的に作用する。
【００３２】
さらに、タブ２１は基材２２に設けられており、タブ２１を引き出すことにより基材２２を引き出すことになる。このため、基材２２を強く引き出して基材２２が厚み方向に収縮すると、厚み方向の弾性変形により基材２２が薄くなり、粘着剤層２３とスクリーン１５および上筐体１１との界面（接着面）から剥離が進行する。このため、両面テープ２０を引き出した際に、スクリーン１５および上筐体１１に両面テープ２０の粘着剤層２３が残らずにきれいに両面テープ２０が取り出せるので、スクリーン１５および上筐体１１を部品として再利用することができる。
【００３３】
なお、本発明の電子機器は、前述した実施形態に限定されるものでなく、適宜な変形，改良等が可能である。
例えば、前述した実施形態においては、両面テープ２０を用いて上筐体１１にスクリーン１５を取り付ける場合を例示したが、本発明はその他の電子機器にも適用可能である。
【符号の説明】
【００３４】
１０  携帯端末（電子機器）
１１  上筐体（第１部材）
１４１  液晶表示板（電子部品）
１５  スクリーン（第２部材）
２０、２０Ａ  両面テープ
２１  タブ
２１１  穴
２４、２４Ａ  切れ込み
【図１】
2011244024.tif 000003
【図２】
2011244024.tif 000004
【図３】
2011244024.tif 000005
【図４】
2011244024.tif 000006
【図５】
2011244024.tif 000007
【図６】
2011244024.tif 000008